(57)【要約】【課題】複数の着脱可能な記録媒体を使用する携帯型デジタルＡＶ機器などの装置において、データが記録された記録媒体を特定し難いという問題があった。【解決手段】簡単な操作で記録媒体装着手段１１０，１１１を１つ又は複数指定できる指定手段１４０を備え、指定手段１４０により記録媒体装着手段１１０または１１１を指定すると、データ名格納領域１２０に格納されたデータレコードを用いて、指定された記録媒体装着手段に装着された記録媒体２００または２０１に記録されているデータの名前を通知手段１６０で通知することにより、記録媒体に記録されたデータと、記録媒体が装着された記録媒体装着手段の位置関連を、利用者が簡単に把握でき、記録媒体の取り違えを防止することが可能となる。【選択図】図１
2005165711.tif 000002
【特許請求の範囲】
【請求項１】
データ名を持ったデータを複数記録可能な記録媒体を装着可能な複数の記録媒体装着手段と、
前記データ名を複数格納可能なデータ名格納手段と、
前記記録媒体装着手段に装着された前記記録媒体に記録されているデータ名を読み出して前記データ名格納手段に格納する読み出し手段と、
前記記録媒体装着手段を１つ又は複数指定可能な指定手段と、
前記指定手段により指定された前記記録媒体装着手段に装着された前記記録媒体に記録されているデータのデータ名をデータ名格納手段から取得するデータ名検索手段と、
前記データ名検索手段により取得されたデータ名を利用者に通知する通知手段とを備え、
前記指定手段により前記記録媒体装着手段を指定したとき、前記データ名検索手段は前記指定手段により指定された前記記録媒体装着手段に装着された前記記録媒体に記録されているデータのデータ名を前記データ名格納手段より取得し、前記通知手段は前記データ名検索手段が取得したデータ名を利用者に通知することを特徴とするデータ表示装置。
【請求項２】
前記データ名格納手段は、記録媒体装着手段を特定可能な記録媒体装着手段名とデータ名を組にして格納することを特徴とする請求項１記載のデータ表示装置。
【請求項３】
前記データ名格納手段は、記録媒体装着手段毎に領域が分割されており、データが記録されている記録媒体が装着されている記録媒体装着手段に対応する領域にデータ名を格納することを特徴とする請求項１記載のデータ表示装置。
【請求項４】
前記データ表示装置は、前記記録媒体装着手段を増設するための装着手段増設手段を備えることを特徴とする請求項１から３のいずれかに記載のデータ表示装置。
【請求項５】
前記データ表示装置は、前記指定手段により指定した前記記録媒体装着手段から前記記録媒体を取り外し可能な記録媒体取り外し手段を備えることを特徴とする請求項１から４のいずれかに記載のデータ表示装置。
【発明の詳細な説明】
【技術分野】
【０００１】
本発明は、デジタルデータの記録／再生のために複数の着脱可能な記録媒体を使用するデジタルＡＶ機器等として実施可能なデータ表示装置に関するものである。 
【背景技術】
【０００２】
近年、デジタルＡＶ機器において、デジタルデータを記録するための記録媒体として、ＭＤ（ミニディスク）、ＣＤ（コンパクトディスク）、半導体メモリカードなどが利用されている。
【０００３】
これらの記録媒体の普及が進むにつれて、多数のＭＤを着脱可能とするチェンジャー機能を備えたＡＶ機器や、ＣＤと半導体メモリカードの両方を着脱可能とするＡＶ機器など、複数の着脱可能な記録媒体を使用できるＡＶ機器が広まっている。
【０００４】
複数の着脱可能な記録媒体を使用できる機器では、データが記録された記録媒体を機器から取り外すときに、記録媒体を取り違えてしまうことがある。そのため、他者に渡そうとしていたデータを正しく渡せなかったり、他者に渡したくないデータを誤って渡してしまったりなど、他者とのデータの受け渡しが利用者の意図通りに行なえない可能性があった。
【０００５】
従来この問題を解決する方法として、記録媒体の取り違えを防止できるＭＤチェンジャー装置が提案されている（特許文献１参照）。このＭＤチェンジャー装置は、記録媒体を装着するための記録媒体装着手段に番号を割り振り、記録媒体装着手段の番号と、記録媒体装着手段に装着された記録媒体に記録されたデータの概要とを対応付けて一覧画面に表示している。また、利用者が一覧画面から記録媒体を１つ又は複数選択することにより、それぞれの記録媒体に記録されているデータの詳細を表示部に表示することも可能である。このように、上記ＭＤチェンジャー装置は、利用者が記録媒体を取り外す前に、記録媒体の内容と、記録媒体が装着された記録媒体装着装置の番号とを確認することができる。これにより、記録媒体の取り違えを防止している。
【特許文献１】特開２００１−１７６１７７号公報
【発明の開示】
【発明が解決しようとする課題】
【０００６】
上記ＭＤチェンジャー装置のような据置型デジタルＡＶ機器においては、記録媒体装着手段を整列して配置することが可能である。よって、記録媒体装着手段の番号が確認できれば、記録媒体装着手段の装置上の位置を容易に判別することができる。
【０００７】
しかし、携帯型デジタルＡＶ機器などの小型な装置においては、複数の記録媒体装着手段を整列して配置するための場所がなく、記録媒体装着手段は装置の各部に分散して配置される可能性がある。そのため、データが記録されている記録媒体を機器から取り外すときに、所望のデータが記録されている記録媒体が装着された記録媒体装着手段の番号を確認することができても、その番号に対応した記録媒体装着手段の装置上の位置を利用者が誤認識してしまい、記録媒体を取り違えるという問題があった。
【課題を解決するための手段】
【０００８】
本発明におけるデータ表示装置は、簡単な操作で記録媒体装着手段を１つ又は複数指定できる指定手段を備え、利用者が指定手段により記録媒体装着手段を指定すると、指定された記録媒体装着手段に装着された記録媒体に記録されているデータの名前を利用者に通知することにより、記録媒体に記録されたデータと、記録媒体が装着された記録媒体装着手段の装置上の位置との関連を、利用者が簡単に把握できるようになり、記録媒体の取り違えを防止することが可能となる。
【発明の効果】
【０００９】
本発明により、携帯型デジタルＡＶ機器などの小型な装置において、記録媒体の取り違えを防止できる。これにより、利用者の意図通りに他者とのデータ受け渡しを行なうことが可能となる。
【発明を実施するための最良の形態】
【００１０】
以下、本発明の実施形態について、図面を用いて説明する。
【００１１】
（実施の形態１）
図は、本発明の実施の形態１によるデータ表示装置の構成を示すブロック図である。以下、図１を用いて本実施の形態におけるデータ表示装置の構成を説明する。
【００１２】
データ表示装置１００は、記録媒体装着手段（＃１）１１０と、記録媒体装着手段（＃２）１１１と、データ名格納手段としてのデータ名格納領域１２０と、読み出し手段１３０と、指定手段１４０と、データ名検索手段１５０と、通知手段１６０とから構成されている。
【００１３】
記録媒体装着手段（＃１）１１０及び記録媒体装着手段（＃２）１１１は、記録媒体を装着するためのスロットである。記録媒体装着手段１１０，１１１にはそれぞれ番号が割り当てられており、記録媒体装着手段（＃１）１１０に割り当てられている番号は「１」、記録媒体装着手段（＃２）１１１に割り当てられている番号は「２」である。
【００１４】
記録媒体（＃１）２００及び記録媒体（＃２）２０１は、音楽データや動画データなどのデータを複数記録可能な記録媒体である。データには夫々データ名が付加されており、データ名は、記録媒体の管理情報格納領域に格納されている。ここでは、記録媒体装着手段（＃１）１１０に記録媒体（＃１）２００が装着され、記録媒体装着手段（＃２）１１１に記録媒体（＃２）２０１が装着されているものとする。
【００１５】
データ名格納領域１２０は、データ表示装置１００に内蔵されているメモリ上の領域であり、記録媒体に記録されているデータを１つ指し示す情報であるデータレコードを複数格納可能である。また、データ名格納領域１２０に格納されているデータレコードには、それぞれ番号が割り振られている。
【００１６】
データレコードは、指し示すデータのデータ名と、データが記録されている記録媒体が装着されている記録媒体装着手段の番号から構成されている。
【００１７】
読み出し手段１３０は、記録媒体からデータを読み出すためのＬＳＩなどのハードウェアと、それを制御するためのソフトウェアから構成され、記録媒体が装着されていなかった記録媒体装着手段に記録媒体が装着されたことと、記録媒体が装着されていた記録媒体装着手段から記録媒体が取り外されたことを検出する。さらに記録媒体の装着又は取り外しが行なわれた記録媒体装着手段の番号を取得する処理を行なう。また、記録媒体よりデータ及びデータ名を読み出すことと、データ名と記録媒体装着手段の番号を組み合わせてデータレコードを構成することと、データレコードをデータ名格納領域１２０に格納する処理を行なう。
【００１８】
指定手段１４０は、利用者が記録媒体装着手段を指定するための手段であり、利用者が押下したことと離したことを検出できるボタンと、ボタンを制御するためのソフトウェアから構成される。ボタンは、それぞれの記録媒体装着手段と１対１に対応しており、指定手段１４０は、ボタンが押下されたときと、離されたときに、押下された又は離されたボタンに対応した記録媒体装着手段の番号をデータ名検索手段１５０に送る処理を行なう。
【００１９】
データ名検索手段１５０は、ソフトウェアから構成され、指定手段１４０より送られてきた記録媒体装着手段の番号を持ったデータレコードの番号をデータ名格納領域１２０より取得することと、取得したデータレコードの番号を通知手段１６０に送る処理を行なう。
【００２０】
通知手段１６０は、ディスプレイなどのハードウェア及びそれを制御するためのソフトウェアから構成され、データ名格納領域１２０に格納されているデータレコードからデータ名を読み出して表示することと、データ名検索手段１５０から送られてきたデータレコードの番号を持ったデータレコードのデータ名を利用者に通知する処理を行なう。
【００２１】
以下、図１を用いてデータ表示装置１００における処理の流れの概要を説明する。
【００２２】
ここでは、記録媒体（＃１）２００には、データＡとデータＢが記録されているとし、記録媒体（＃２）２０１にはデータＣが記録されているとする。
【００２３】
記録媒体装着手段（＃１）１１０及び記録媒体装着手段（＃２）１１１に記録媒体が装着されたとき、読み出し手段１３０は記録媒体２００，２０１の管理情報格納領域よりデータ名を読み出し、それぞれのデータが記録されている記録媒体装着手段１１０，１１１の番号と組み合わせてデータレコードを作成してデータ名格納領域１２０に格納する。
【００２４】
利用者が指定手段１４０を構成しているボタンを押下して記録媒体装着手段を指定したとき、指定手段１４０は指定された記録媒体装着手段の番号をデータ名検索手段１５０に送る。データ名検索手段１５０は、指定手段１４０から送られてきた記録媒体装着手段の番号を持ったデータレコードの番号を、データ名格納領域１２０を検索して取得し、通知手段１６０に送る。通知手段１６０は、データ名検索手段１５０から送られてきたデータレコードの番号を持ったデータレコードのデータ名を利用者に通知する。
【００２５】
以下、図２を用いて本実施の形態における記録媒体の構成について詳しく説明する。
【００２６】
本実施の形態における記録媒体は、データを複数記録可能な半導体メモリカードであり、ＦＡＴ（ファイル  アロケーション  テーブル）ファイルシステム（ＩＳＯ/ＩＥＣ９２９３、「インフォメーション  テクノロジー  ボリュウム  アンド  ファイル  ストラクチャ  オブ  ディスク  カートリッジ  フォー  インフォメーション（Ｉｎｆｏｒｍａｔｉｏｎ  Ｔｅｃｈｎｏｌｏｇｙ−Ｖｏｌｕｍｅ  ａｎｄ  ｆｉｌｅ  ｓｔｒｕｃｔｕｒｅ  ｏｆ  ｄｉｓｋ  ｃａｒｔｒｉｄｇｅｓ  ｆｏｒ  ｉｎｆｏｒｍａｔｉｏｎ）」、１９９４年）に準拠した形式でデータが記録されている。記録媒体は管理情報格納領域とデータ格納領域を備え、ＦＡＴファイルシステムにおけるＦＡＴテーブルやディレクトリエントリなどの管理情報は管理情報格納領域に記録されるものとし、データはファイルとしてデータ格納領域に記録されるものとする。本実施の形態においては、データ名は、ＦＡＴファイルシステムにおけるファイルのパス名とする。
【００２７】
以下、図３を用いて本実施の形態におけるデータ名格納領域の構成について詳しく説明する。
【００２８】
データ名格納領域１２０には、データレコードを複数格納することが可能である。データレコードは、記録媒体に記録されているデータのうち１つを指し示すものであり、指し示すデータのデータ名と、指し示すデータが記録されている記録媒体が装着されている記録媒体装着手段の番号から構成されている。
【００２９】
また、記録媒体装着手段に記録媒体を装着したときと、記録媒体装着手段から記録媒体を取り外したときに、データ名格納領域の内容は変更される。以下、図４及び図５を用いて、記録媒体装着手段に対する記録媒体の装着及び取り外しが行なわれたときのデータ名格納領域１２０における変更処理の流れを説明する。
【００３０】
以下、図４を用いて記録媒体装着手段に記録媒体が装着されたときの処理の流れを説明する。
【００３１】
Ｓ４０１において、読み出し手段１３０は、記録媒体に装着された記録媒体装着手段の番号を取得し、変数Ｄに格納する。
【００３２】
Ｓ４０２において、読み出し手段１３０は、記録媒体の管理情報格納領域を読み出し、まだ読み出していないデータ名があるかどうか判別する。読み出していないデータ名がある場合はＳ４０３へ遷移し、データが無い場合は処理を終了する。
【００３３】
Ｓ４０３において、読み出し手段１３０は、記録媒体の管理情報格納領域からまだ読み出していないデータ名のうち１つを読み出し、変数ＮＡＭＥに格納する。
【００３４】
Ｓ４０４において、読み出し手段１３０は、ＤとＮＡＭＥを組み合わせ、データレコードを生成してデータ名格納領域１２０に格納し、Ｓ４０２に遷移する。そして、全てのデータ名を読み出し終えるまで、Ｓ４０３，Ｓ４０４を繰り返す。
【００３５】
以上のように、記録媒体が記録媒体装着手段に装着されたとき、読み出し手段１３０は、記録媒体に記録されている全てのデータ名と記録媒体が装着された記録媒体装着手段の番号を読み出し、データの数だけデータレコードを生成してデータ名格納領域１２０に格納する。
【００３６】
以下、図５を用いて記録媒体装着手段から記録媒体が取り外された処理の流れを説明する。
【００３７】
Ｓ５０１において、読み出し手段１３０は、記録媒体が取り外された記録媒体装着手段の番号を取得し、変数Ｄに格納する。
【００３８】
Ｓ５０２において、読み出し手段１３０は、変数ｉに１を格納し、変数Ｎにデータ名格納領域１２０に格納されているデータレコードの数を格納する。データ名格納領域１２０に記録されているデータレコードの番号のうち、最も大きいデータレコードの番号がデータレコードの数である。
【００３９】
Ｓ５０３において、読み出し手段１３０は、ｉとＮを比較し、ｉがＮ以下であればＳ５０４へ遷移し、ｉがＮより大きければＳ５０７へ遷移する。
【００４０】
Ｓ５０４において、読み出し手段１３０は、データ名格納領域１２０に格納されているデータレコード＃ｉの記録媒体装着手段の番号を読み取り、Ｄと比較する。Ｄと一致していた場合は、Ｓ５０５へ遷移し、Ｄと異なっていた場合はＳ５０６に遷移する。
【００４１】
Ｓ５０５において、読み出し手段１３０は、データレコード＃ｉを削除する。
【００４２】
Ｓ５０６において、読み出し手段１３０は、ｉに１を加え、Ｓ５０３へ遷移する。Ｓ５０３において、ｉがＮより大になるまで、Ｓ５０４〜Ｓ５０６が繰り返される。
【００４３】
Ｓ５０７において、読み出し手段１３０は、データ名格納領域１２０に格納されているデータレコードの番号を、１から連番になるように付け直す。
【００４４】
以上のように、記録媒体が記録媒体装着手段から取り外されたとき、読み出し手段１３０は、データ名格納領域１２０に格納されているデータレコードのうち、取り外された記録媒体に記録されているデータを指し示すデータレコードを全て削除する。
【００４５】
図４、図５に示される処理により、データ名格納領域１２０に格納されているデータレコードは、記録媒体の装着又は取り外しに応じて更新される。更新された結果、記録媒体装着手段に装着されている記録媒体に記録されているデータ全てに対し、そのデータを指し示すデータレコードがデータ名格納領域１２０に格納されている。データ名検索手段１５０や通知手段１６０は、データ名格納領域１２０に格納されているデータレコードを参照して、データ名一覧の表示や、利用者に対するデータ名の通知を行なっている。
【００４６】
以下、図６を用いて本実施の形態のデータ表示装置１００における指定手段１４０と通知手段１６０を説明する。
【００４７】
図６は、本実施の形態によるデータ表示装置１００の外観図である。本図において、データ表示装置１００は、記録媒体装着手段（＃１）１１０と記録媒体装着手段（＃２）１１１の２つの記録媒体装着手段と、ボタン（＃１）６００とボタン（＃２）６０１の２つのボタンと、ディスプレイ６１０と操作部１２０を備えている。
【００４８】
ボタン（＃１）６００は、記録媒体装着手段（＃１）１１０を指定するためのボタンであり、ボタン（＃２）６０１は、記録媒体装着手段（＃２）１１１を指定するためのボタンである。ディスプレイ６１０は、記録媒体に記録されているデータのデータ名や曲タイトルを一覧表示する液晶ディスプレイである。指定手段１４０は、ボタン（＃１）６００とボタン（＃２）６０１、及びこれらのボタンが押下されたことと離されたことを検出するハードウェア及びソフトウェアから構成されている。通知手段１６０は、ディスプレイ６１０と、ディスプレイ６１０への表示を行なうためのソフトウェア及びハードウェアから構成されている。
【００４９】
以下、図７を用いて、通知手段１６０がデータ名を利用者に通知する方法を説明する。
【００５０】
通知手段１６０が利用者にデータ名を通知しないときは、通知手段１６０は、ディスプレイ６１０に図７（ａ）のように、データ名格納領域より全てのデータレコードのデータ名を読み出して、データ名の一覧を表示する。
【００５１】
通知手段１６０が利用者にデータ名を通知するときは、通知手段１６０は、ディスプレイ６１０は図７（ｂ）のように、利用者に通知するデータ名を反転表示する。図７（ｂ）の例では、データＡ、データＢ、データＦの３つのデータが反転表示されており、この３つのデータ名が利用者に対して通知されていることを示している。
【００５２】
操作部６２０は、カーソルを上下させる矢印キーと、データの再生を行なうための決定キーから構成されている。図７（ａ）及び図７（ｂ）においては、ディスプレイ６１０に表示されているデータ名のうち、データＣが太枠で囲まれている。これは現在カーソルがデータＣを指していることを示している。利用者は、矢印キーを押下することにより、カーソルを上下に移動させることができる。また、利用者が決定キーを押下すると、データ表示装置１００は、現在カーソルが挿しているデータを記録媒体より読み込み、データの種別を判別する。さらに、データが音楽データである場合は、音楽の再生を行い、動画データである場合は、動画の再生を行なう。
【００５３】
以下、図８及び図９を用いて、ボタン（＃１）６００、ボタン（＃２）６０１が押下されたとき及び離されたときの指定手段１４０、データ名検索手段１５０、通知手段１６０の処理の流れを説明する。
【００５４】
以下、図８を用いてボタンが押下されたときの処理の流れを説明する。
【００５５】
Ｓ８０１において、指定手段１４０は、押下されたボタンに対応した記録媒体装着手段の番号を取得し、データ名検索手段１５０に送る。データ名検索手段１５０は、記録媒体装着手段の番号を変数Ｄに格納する。
【００５６】
Ｓ８０２において、データ名検索手段１５０は、変数ｉに１を格納し、データ名格納領域に格納されているデータレコードの数を変数Ｎに格納する。
【００５７】
Ｓ８０３において、データ名検索手段１５０は、ｉとＮを比較し、ｉがＮ以下であればＳ８０４へ遷移し、ｉがＮより大きければ処理を終了する。
【００５８】
Ｓ８０４において、データ名検索手段１５０は、データ名格納領域１２０に格納されているデータレコード＃ｉの記録媒体装着手段の番号を読み取り、Ｄと比較する。Ｄと一致していた場合は、Ｓ８０５へ遷移し、Ｄと異なっていた場合はＳ８０７に遷移する。
【００５９】
Ｓ８０５において、データ名検索手段１５０は、データレコードの番号ｉを通知手段１６０に送り、通知手段１６０はデータレコード＃ｉのデータ名がディスプレイ６１０に表示されているか判定する。表示されている場合はＳ８０６に遷移し、表示されていない場合はＳ８０７へ遷移する。
【００６０】
Ｓ８０６において、通知手段１６０は、ディスプレイ６１０に表示されているデータレコード＃ｉのデータ名を反転表示する。
【００６１】
Ｓ８０７において、データ名検索手段１５０は、ｉに１を加え、Ｓ８０３へ遷移する。そして、Ｓ８０３でｉがＮより大となるまで、Ｓ８０４〜Ｓ８０７が繰り返される。
【００６２】
次に、図９を用いてボタンが離されたときの処理の流れを説明する。
【００６３】
Ｓ９０１において、指定手段１４０は、離されたボタンに対応した記録媒体装着手段の番号を取得し、データ名検索手段１５０に送る。データ名検索手段１５０は、記録媒体装着手段の番号を変数Ｄに格納する。
【００６４】
Ｓ９０２において、データ名検索手段１５０は、変数ｉに１を格納し、データ名格納領域に格納されているデータレコードの数を変数Ｎに格納する。
【００６５】
Ｓ９０３において、データ名検索手段１５０は、ｉとＮを比較し、ｉがＮ以下であればＳ９０４へ遷移し、ｉがＮより大きければ処理を終了する。
【００６６】
Ｓ９０４において、データ名検索手段１５０は、データ名格納領域１２０に格納されているデータレコード＃ｉの記録媒体装着手段の番号を読み取り、Ｄと比較する。Ｄと一致していた場合は、Ｓ９０５へ遷移し、Ｄと異なっていた場合はＳ９０７に遷移する。
【００６７】
Ｓ９０５において、データ名検索手段１５０は、データレコードの番号ｉを通知手段１６０に送り、通知手段１６０はデータレコード＃ｉのデータ名がディスプレイ６１０に表示されているか判定する。表示されている場合はＳ９０６に遷移し、表示されていない場合はＳ９０７へ遷移する。
【００６８】
Ｓ９０６において、通知手段１６０は、ディスプレイ６１０に表示されているデータレコード＃ｉのデータ名を反転表示から通常の表示に戻す。
【００６９】
Ｓ９０７において、データ名検索手段１５０は、ｉに１を加え、Ｓ９０３へ遷移する。そして、Ｓ９０３でｉがＮとり大となるまで、Ｓ９０４〜Ｓ９０７が繰り返される。
【００７０】
以上のように、利用者がボタンを押下して記録媒体装着手段を指定することにより、押下している間だけ、指定された記録媒体装着手段に記録されているデータのデータ名が利用者に通知される。これにより、記録媒体に記録されたデータと、記録媒体が装着された記録媒体装着手段の装置上の位置との関係を、利用者は、ボタンを押下する操作だけで把握することができる。
【００７１】
なお、本実施の形態においては、記録媒体は半導体メモリカードとしたが、これに限るものではなく、ＭＤやＣＤなどでもよく、記録方式に関わらず着脱可能な記録媒体であれば何でも良い。記録媒体のファイルシステムはＦＡＴファイルシステムとしたが、ＩＳＯ９６６０やＵＤＦなどの他のファイルシステムを用いても良い。
【００７２】
また、本実施の形態においては、記録媒体装着手段の番号とデータ名を組にしたデータレコードをデータ名格納領域に格納することにより、記録媒体装着手段とデータ名を関連付けているが、これに限るものではなく、データ名格納領域を記録媒体装着手段の数だけ分割し、分割した領域を記録媒体装着手段と１対１に対応させ、記録媒体装着手段に装着された記録媒体のデータ名は、記録媒体装着手段に対応した領域に格納するような方法など、記録媒体装着手段とデータ名を関連付けられる方法であればなんでも良い。
【００７３】
また、本実施の形態にいては、記録媒体が記録媒体装着手段に装着されたときに、記録媒体から全てのデータ名を読み込む方法を用いているが、これに限るものではなく、音楽データ、動画データなどの特定の種類のデータのデータ名だけを読み込んでも良いし、表示可能なデータ名だけを読み込み、他のデータ名は利用者の操作に応じて後から読み込んでも良い。
【００７４】
また、本実施の形態においては、記録媒体装着手段は２つとしたが、これに限るものではなく、３つ以上であっても良い。また、記録媒体装着手段が増設可能であっても良い。記録媒体装着手段が増設可能な場合は、増設不能な場合に比べ、記録媒体装着手段の数や位置が変化するため、利用者が記録媒体装着手段とデータ名の関連を誤りやすくなる。よって、記録媒体装着手段とデータ名の関連を利用者に通知できる本発明は有効である。また、データ表示装置が、装置に固定されたフラッシュＲＯＭやハードディスクなどの取り外し不能な記録媒体を備えている場合は、記録媒体装着手段が１つであっても、データ表示装置が取り外し不能な記録媒体と記録媒体装着手段を指定可能な指定手段を備えれば、取り外し不能な記録媒体と記録媒体装着手段に装着されている記録媒体のどちらにデータが記録されているか利用者に示すことが出来るため、本発明は有効である。
【００７５】
また、本実施の形態においては、利用者がボタンを押下することにより記録媒体装着手段を指定していたが、これに限るものではなく、トグルスイッチやタッチセンサなど、記録媒体装着手段を指定可能な装置であれば何を用いても良い。また、記録媒体装着手段を指定するための装置により、記録媒体の取り外すことが可能であると、利用者が記録媒体に記録されているデータを確認したあと、すぐに記録媒体を取り外せるので、有効である。
【００７６】
また、本実施の形態においては、再生可能なデータとして音楽データと動画データのみとしたが、これに限るものではなく、文書データなどの他の種類のデータに対する処理が行なえても良い。
【００７７】
また、本実施の形態においては、データレコードはデータ名と記録媒体装着手段の番号から構成されているが、これに限るものではなく、データレコードは他の情報を含んでいても良い。例えば音楽データであればタイトル名やアーティスト名を含んでいても良い。
【００７８】
また、本実施の形態においては、ディスプレイにはデータ名だけが表示されているが、これに限るものではなく、記録媒体装着手段の番号を表示しても良い。上記したようにデータレコードが他の情報を含んでいる場合は、それらの情報を表示しても良い。
【００７９】
また、本実施の形態においては、データ名を反転表示することによりデータ名を利用者に通知しているが、これに限るものではなく、点滅など、データ名を強調して利用者に示せるものであればどんな方法でも良い。
【００８０】
また、本実施の形態においては、記録媒体が記録媒体装着手段に装着されたときの、読み出し手段がデータレコードをデータ名格納領域に追加する処理において、特に規則無くデータ名格納領域にデータレコードを追加しているが、このとき、データ名が辞書順になるようデータ名格納領域に追加していってもよい。
【００８１】
また、本実施の形態においては、図７のようにデータ名を一覧形式で表示しているが、これに限るものではなく、記録媒体に記録されているデータ名を利用者が把握できる表示形式であれば何でも良い。
【産業上の利用可能性】
【００８２】
本発明にかかるデータ表示装置は、利用者の意図通りに他者とのデータ受け渡しを行なえない危険性を排除することが必要な、複数の着脱可能な記録媒体を使用するデジタルＡＶ機器等にも適用できる。
【図面の簡単な説明】
【００８３】
【図１】本発明の実施の形態１におけるデータ表示装置の構成を示すブロック図
【図２】同実施の形態１における記録媒体の構成を示した説明図
【図３】同実施の形態１におけるデータ表示装置のデータ名格納領域の構成を示した説明図
【図４】同データ表示装置の記録媒体装着手段に記録媒体が装着されたときの処理を示したフローチャート
【図５】同データ表示装置の記録媒体装着手段から記録媒体が取り外されたときの処理を示したフローチャート
【図６】同データ表示装置の外観を示した外観図
【図７】同データ表示装置のディスプレイに表示内容を示した模式図
【図８】同データ表示装置においてボタンが押下されたときの処理を示したフローチャート
【図９】同データ表示装置においてボタンが離されたときの処理を示したフローチャート
【符号の説明】
【００８４】
１００    データ表示装置
１１０、１１１    記録媒体装着手段
１２０    データ名格納領域
１３０    読み出し手段
１４０    指定手段
１５０    データ名検索手段
１６０    通知手段
２００、２０１    記録媒体
６００、６０１    ボタン
６１０    ディスプレイ
６２０    操作部
【図１】
2005165711.tif 000003
【図２】
2005165711.tif 000004
【図３】
2005165711.tif 000005
【図４】
2005165711.tif 000006
【図５】
2005165711.tif 000007
【図６】
2005165711.tif 000008
【図７】
2005165711.tif 000009
【図８】
2005165711.tif 000010
【図９】
2005165711.tif 000011